(57)【要約】【課題】  ご飯の上にある雑穀類の吸水がよくなるようにし、もって雑穀類を混ぜたご飯を柔らかく炊き上げ得るようにする。【解決手段】  米と水とを収容する内鍋を取出自在に収納する炊飯器本体と、前記内鍋を加熱する加熱手段と、前記内鍋の温度を検出する温度センサーとを備えた電気炊飯器において、前記内鍋内の米の上に雑穀類を置いて炊飯を行う雑穀米炊飯時においては、吸水工程において前記内鍋上部の温度を前記内鍋下部の温度より高く保持するように前記加熱手段を制御するようにして、吸水工程において米の上に置かれた雑穀類の温度が高くなし、雑穀類の吸水がよくなるようにしている。【選択図】        図４
2010012138.tif 000002
【特許請求の範囲】
【請求項１】
米と水とを収容する内鍋を取出自在に収納する炊飯器本体と、前記内鍋を加熱する加熱手段と、前記内鍋の温度を検出する温度センサーとを備えた電気炊飯器であって、前記内鍋内の米の上に雑穀類を置いて炊飯を行う雑穀米炊飯時においては、吸水工程において前記内鍋上部の温度を前記内鍋下部の温度より高く保持するように前記加熱手段を制御することを特徴とする電気炊飯器。
【請求項２】
前記加熱手段を、前記内鍋の底部を加熱する主加熱手段と、前記内鍋の側面上部および側面下部を加熱する上部副加熱手段および下部副加熱手段により構成するとともに、前記雑穀米炊飯時においては、前記上部副加熱手段の電力が、前記加熱副加熱手段の電力より高くなるように設定したことを特徴とする請求項１記載の電気炊飯器。
【請求項３】
前記雑穀米炊飯時においては、前記吸水工程に要する時間を白米炊飯時より長く設定したことを特徴とする請求項１および２のいずれか一項記載の電気炊飯器。
【請求項４】
前記雑穀米炊飯時においては、昇温工程および炊き上げ工程において沸騰直前の温度を検知すると、前記主加熱手段をパワーダウンさせるとともに、前記上部および下部副加熱手段をパワーアップさせるように制御することを特徴とする請求項２および３のいずれか一項記載の電気炊飯器。
【発明の詳細な説明】
【技術分野】
【０００１】
本願発明は、電気炊飯器に関し、さらに詳しくは、雑穀米を美味しく炊飯することができる電気炊飯器に関するものである。
【背景技術】
【０００２】
近年、健康志向の高まりに伴い、雑穀類（例えば、麦、粟、稗、黒米、赤米、豆、アマランサス、キヌアなど）を食べる人が増えており、市場でも、五穀米、十穀米などと称して、いろいろな雑穀類を混ぜたものが販売されている。
【０００３】
雑穀類は、一般に白米に１〜２割混ぜて炊くことが多く、白米コースでも一応炊けるが、玄米類や豆類はどうしても白米に比べて硬く炊ける。
【０００４】
そこで、白米に混ぜた硬い雑穀類がよりおいしく炊けるような炊き方が要求されることとなっている。
【０００５】
また、雑穀類の中には、粒の小さいもの（特に、アマランサス）があり、炊飯中に吹き上がった雑穀類が内蓋の上に溜まり降りてこなかったり、蓋体に設けられた調圧弁に詰まって取り出せなくなることがあり、雑穀類がもったいなく、お手入れも大変で使い勝手が悪くなるという不具合があった。
【０００６】
そこで、粒の小さい雑穀類も吹き上がらないような炊き方が要求されることとなっている。
【０００７】
ところで、この種の炊飯方式の従来例としては、例えば、特殊加工米に適した炊飯シーケンスで炊飯し、特殊加工米をおいしく早く炊くことができるようにしたものが提案されている（特許文献１参照）。
【０００８】
【特許文献１】特開２００８−１７９８２号公報
【発明の開示】
【発明が解決しようとする課題】
【０００９】
ところが、上記特許文献１に開示されている技術は、特殊加工米に適した炊飯シーケンスで炊飯するものであり、雑穀類を混ぜた白米を炊飯するものには適用しずらいという問題がある。
【００１０】
本願発明は、上記の点に鑑みてなされたもので、ご飯の上にある雑穀類の吸水がよくなるようにし、もって雑穀類を混ぜたご飯を柔らかく炊き上げ得るようにすることを目的としている。
【課題を解決するための手段】
【００１１】
本願発明では、上記課題を解決するための第１の手段として、米と水とを収容する内鍋を取出自在に収納する炊飯器本体と、前記内鍋を加熱する加熱手段と、前記内鍋の温度を検出する温度センサーとを備えた電気炊飯器において、前記内鍋内の米の上に雑穀類を置いて炊飯を行う雑穀米炊飯時においては、吸水工程において前記内鍋上部の温度を前記内鍋下部の温度より高く保持するように前記加熱手段を制御するようにしている。
【００１２】
上記のように構成したことにより、内鍋内の米の上に雑穀類を置いて炊飯を行う雑穀米炊飯時の吸水工程において、内鍋上部の温度が内鍋下部の温度より高く保持されるように加熱手段が制御されることとなり、吸水工程において米の上に置かれた雑穀類の温度が高くなる。従って、雑穀類の吸水がよくなるところから、雑穀類を混ぜたご飯が柔らかく炊き上げられることとなる。
【００１３】
本願発明では、さらに、上記課題を解決するための第２の手段として、上記第１の手段を備えた電気炊飯器において、前記加熱手段を、前記内鍋の底部を加熱する主加熱手段と、前記内鍋の側面上部および側面下部を加熱する上部副加熱手段および下部副加熱手段により構成するとともに、前記雑穀米炊飯時においては、前記上部副加熱手段の電力が、前記下部副加熱手段の電力より高くなるように設定することもでき、そのように構成した場合、雑穀米炊飯時においては、内鍋の側面上部を加熱する上部副加熱手段の電力が、内鍋の側面下部を加熱する下部副加熱手段の電力より高くなるように設定されることとなり、内鍋上部の温度が内鍋下部の温度より高く保持されることとなって、吸水工程において米の上に置かれた雑穀類の温度が高くなる。従って、雑穀類の吸水がよくなるところから、雑穀類を混ぜたご飯が柔らかく炊き上げられることとなる。
【００１４】
本願発明では、さらに、上記課題を解決するための第３の手段として、上記第１又は第２の手段を備えた電気炊飯器において、前記雑穀米炊飯時においては、前記吸水工程に要する時間を白米炊飯時より長く設定することもでき、そのように構成した場合、雑穀類の吸水がより一層よくなるところから、雑穀類を混ぜたご飯がより一層柔らかく炊き上げられることとなる。
【００１５】
本願発明では、さらに、上記課題を解決するための第４の手段として、上記第２又は第３の手段を備えた電気炊飯器において、前記雑穀米炊飯時においては、昇温工程および炊き上げ工程において沸騰直前の温度を検知すると、前記主加熱手段をパワーダウンさせるとともに、前記上部および下部副加熱手段をパワーアップさせるように制御することもでき、そのように構成した場合、雑穀米炊飯時においては、昇温工程および炊き上げ工程において沸騰直前の温度を検知すると、主加熱手段をパワーダウンさせるとともに、上部および下部副加熱手段をパワーアップさせるように制御されることとなり、雑穀類（特に、粒の小さいアマランサス等）の吹き上がりが抑制されるとともに、雑穀類の吸水がより一層よくなるところから、お手入れし易く且つ使い勝手が向上するとともに、雑穀類を混ぜたご飯がより一層柔らかく炊き上げられることとなる。
【発明の効果】
【００１６】
本願発明の第１の手段によれば、米と水とを収容する内鍋を取出自在に収納する炊飯器本体と、前記内鍋を加熱する加熱手段と、前記内鍋の温度を検出する温度センサーとを備えた電気炊飯器において、前記内鍋内の米の上に雑穀類を置いて炊飯を行う雑穀米炊飯時においては、吸水工程において前記内鍋上部の温度を前記内鍋下部の温度より高く保持するように前記加熱手段を制御するようにして、内鍋内の米の上に雑穀類を置いて炊飯を行う雑穀米炊飯時の吸水工程において、米の上に置かれた雑穀類の温度が高くなるようにしたので、雑穀類の吸水がよくなるところから、雑穀類を混ぜたご飯が柔らかく炊き上げられることとなるという効果がある。
【００１７】
本願発明の第２の手段におけるように、上記第１の手段を備えた電気炊飯器において、前記加熱手段を、前記内鍋の底部を加熱する主加熱手段と、前記内鍋の側面上部および側面下部を加熱する上部副加熱手段および下部副加熱手段により構成するとともに、前記雑穀米炊飯時においては、前記上部副加熱手段の電力が、前記下部副加熱手段の電力より高くなるように設定することもでき、そのように構成した場合、雑穀米炊飯時においては、内鍋の側面上部を加熱する上部副加熱手段の電力が、内鍋の側面下部を加熱する下部副加熱手段の電力より高くなるように設定されることとなり、内鍋上部の温度が内鍋下部の温度より高く保持されることとなって、吸水工程において米の上に置かれた雑穀類の温度が高くなる。従って、雑穀類の吸水がよくなるところから、雑穀類を混ぜたご飯が柔らかく炊き上げられることとなる。
【００１８】
本願発明の第３の手段におけるように、上記第１又は第２の手段を備えた電気炊飯器において、前記雑穀米炊飯時においては、前記吸水工程に要する時間を白米炊飯時より長く設定することもでき、そのように構成した場合、雑穀類の吸水がより一層よくなるところから、雑穀類を混ぜたご飯がより一層柔らかく炊き上げられることとなる。
【００１９】
本願発明の第４の手段におけるように、上記第２又は第３の手段を備えた電気炊飯器において、前記雑穀米炊飯時においては、昇温工程および炊き上げ工程において沸騰直前の温度を検知すると、前記主加熱手段をパワーダウンさせるとともに、前記上部および下部副加熱手段をパワーアップさせるように制御することもでき、そのように構成した場合、雑穀米炊飯時においては、昇温工程および炊き上げ工程において沸騰直前の温度を検知すると、主加熱手段をパワーダウンさせるとともに、上部および下部副加熱手段をパワーアップさせるように制御されることとなり、雑穀類（特に、粒の小さいアマランサス等）の吹き上がりが抑制されるとともに、雑穀類の吸水がより一層よくなるところから、お手入れし易く且つ使い勝手が向上するとともに、雑穀類を混ぜたご飯がより一層柔らかく炊き上げられることとなる。
【発明を実施するための最良の形態】
【００２０】
以下、添付の図面を参照して、本願発明を幾つかの好適な実施の形態について説明する。  まず、本願発明の実施の形態にかかる電気炊飯器の具体的な構造について、図１を参照して説明する。
【００２１】
この電気炊飯器は、例えば内鍋（飯器ないし保温容器）３として非金属材料からなる鍋（例えば、セラミック製の土鍋）が一例として採用されており、その底壁部３ａの底部中央面（フラット面）および該底壁部３ａ外周の湾曲面部（Ｒ面部）には、それぞれ内部に誘起されるうず電流によって自己発熱が可能な銀ペースト等の金属製の第１，第２の誘導発熱体Ｇ1，Ｇ2が設けられている。
【００２２】
そして、この電気炊飯器は、同構成の内鍋３と、該内鍋３を任意に収納セットし得るように形成された下部側合成樹脂製の皿状の底壁部４ａおよび上部側筒状の側壁部４ｂよりなる内ケース（保護枠）４と、該内ケース４を保持する外部筺体である有底筒状の外ケース５と、該外ケース５と上記内ケース４とを一体化して形成された炊飯器本体１の上部に開閉可能に設けられた蓋ユニット（蓋体）２とから構成されている。
【００２３】
前記外ケース５の前面部上方には、操作パネル部２０が設けられている。そして、該操作パネル部２０面には、例えば十分に広く大きな表示面積をもつ液晶表示部と炊飯スイッチ、タイマー予約スイッチ、取消スイッチ、保温スイッチ、再加熱スイッチ、メニュー選択スイッチ、時スイッチ、分スイッチ等の各種入力スイッチ（タッチキースイッチ）が設けられている。
【００２４】
また、該外ケース５内の上記操作パネル部２０の内側部分（裏側空間）には、制御基板Ｂ1の上端位置から斜め前方に下降する格好で、マイコン基板Ｂ2がマイコン基板カバー２１を介して傾斜設置されている。
【００２５】
一方、内ケース４の底壁部４ａの下方側には、フェライトコア収納部を備えたコイルカバー（コイル台）６が設けられ、その下部にはフェライトコア（符号省略）を配置し、またそれらの間には、上記内鍋３の底壁部３ａの中央部側フラット面と外周部側湾曲面の上記第１，第２の２組の誘導発熱体Ｇ1，Ｇ2位置に対応して各々リッツ線が同心状に巻成された第１，第２の２組のワークコイルＣ1，Ｃ2が設けられており、それらへの通電時には上記内鍋３の上記第１，第２の誘導発熱体Ｇ1，Ｇ2にうず電流を誘起して、上記内鍋３を加熱するようになっている。
【００２６】
上記内ケース４（およびコイルカバー６）の前方部側には、上記ワークコイルＣ1，Ｃ2、保温ヒータＨ1，Ｈ2（後述する）等を駆動制御するＩＧＢＴやヒータ駆動回路、電源電圧整流用のダイオードブリッジよりなる整流回路、平滑回路などを備えた制御基板Ｂ1および制御基板カバー７が上下立設状態で設けられている。
【００２７】
上記内ケース４の皿状の底壁部４ａは、その底面中央部にサーミスタを内装したセンターセンサーＣＳのセンサー部嵌合口が形成されているとともに、同センサー部嵌合口の外周側上面にはドーナツ状の遮熱板８が設けられている。また、外周側湾曲面部の上端側には、所定幅半径方向外方に張り出したフランジ状の段部９が設けられ、この段部９部分に上記上部側筒状の側壁部４ｂの下端側が係合載置されている。
【００２８】
他方、同上部側筒状の側壁部４ａの上端は、図示しない内枠部材を介して上記炊飯器本体１側の外ケース５上端の肩部材１０側に連結して固定されている。
【００２９】
また、上記内ケース４の上部側筒状の側壁部４ａの外周には、炊飯および保温時において加熱手段として機能する上部および下部保温ヒータＨ1，Ｈ2が上下に設けられており、炊飯時および保温時において上記内鍋３の全体を有効かつ均一に加熱するようになっている。
【００３０】
そして、上記内ケース４の下部側底壁部４ａとコイルカバー６の底壁部との間には、その前部側から後部側に到る冷却用の通風路が形成されており、上記炊飯器本体１の前方底部に設置されている電装品等冷却用のファン（短軸のプロペラファン）１１からの冷却風の一部を導入して上記第１のワークコイルＣ1側通風路の通風空間に流すようになっている。なお、符号１２は、上記外ケース５の底部に嵌合一体化された底部材（底カバー）１３の前部部分に設けられた冷却ファン１１の空気吸込口である。
【００３１】
前記蓋ユニット２は、その外周面を構成するとともに中央部に調圧パイプ１４を備えた合成樹脂製の外カバー１５と、該外カバー１５の内側に嵌合一体化して設けられた合成樹脂製の内枠１６と、該内枠１６の内側開口部内に嵌合された金属製の放熱板１７（蓋ヒータＨ3を備えている）と、該放熱板１７の下方に設けられた金属製の内蓋１８とを備えて構成されている。また、前記放熱板１７の外周縁部下方および前記内蓋１８の外周縁部下方には、それぞれパッキン１９ａ，１９ｂが設けられており、符号２２は内鍋３内の沸騰状態を検知する蒸気センサーである。
【００３２】
この蓋ユニット２は、図示しない上記外ケース５上部の後端側で肩部材１０に対してヒンジ機構を介して回動自在に取付けられており、その開放端側には、該蓋ユニット２の所定位置に係合して該蓋ユニット２の上下方向への開閉を行うロック機構２３が設けられている。
【００３３】
ついで、本実施の形態にかかる電気炊飯器により、白米ご飯炊飯時および雑穀類を混ぜたご飯炊飯時の炊飯実行について、図２〜図４のフローチャートおよび図５〜図７のタイムチャートを参照して説明する。
（１）  白米炊飯（図２のフローチャート参照）
ステップＳ１においてメニューキーにより白米がセットされ、炊き分けキーによりご飯がセットされ、炊飯キーによりスタートされると、ステップＳ２において初期水温Ｔｗ0が図示しない水温センサーにより測定され、ステップＳ３において吸水タイマがスタートされ、ステップＳ４においてＩＨコイル（ワークコイルＣ1，Ｃ2）に６０％，３／１６で通電され、側面ヒータＨ1，Ｈ2はＯＦＦされ、蓋ヒータＨ3に８／１６で通電される。この通電状態は、ステップＳ５において吸水タイマがカウントアップしたと判定されるまで継続され、ステップＳ５において吸水タイマがカウントアップしたと判定されると、ステップＳ６において昇温１タイマがスタートされ、ステップＳ７においてＩＨコイル（ワークコイルＣ1，Ｃ2）に７０％，１６／１６で通電され、側面ヒータＨ1，Ｈ2はＯＦＦされ、蓋ヒータＨ3に８／１６で通電される。この通電状態は、ステップＳ８において昇温１タイマがカウントアップしたと判定されるまで継続され、ステップＳ８において昇温１タイマがカウントアップしたと判定されると、ステップＳ９において昇温２タイマがスタートされ、ステップＳ１０においてＩＨコイル（ワークコイルＣ1，Ｃ2）に７０％，１６／１６で通電され、側面ヒータＨ1，Ｈ2は６／１６で通電され、蓋ヒータＨ3はＯＦＦされる。この通電状態は、ステップＳ１１において蒸気センサー２２による検知温度Ｔｇが所定温度ａ℃（例えば、１００℃）以上となるまで継続される（換言すれば、蒸気センサー２２により沸騰検知されるまで継続される）。ステップＳ１１においてＴｇ≧ａ℃と判定されると、ステップＳ１２において炊き上げタイマがスタートされ、ステップＳ１３においてＩＨコイル（ワークコイルＣ1，Ｃ2）に１００〜５０％で通電され、側面ヒータＨ1，Ｈ2に６／１６で通電され、蓋ヒータＨ3に８／１６で通電される。この通電状態は、ステップＳ１４において炊き上げタイマがカウントアップしたと判定されるまで継続され、ステップＳ１４において炊き上げタイマがカウントアップしたと判定されると、ステップＳ１５において追い炊きが実行され、ステップＳ１６においてむらしが実行され、その後保温工程に移行される。
【００３４】
上記したように白米炊飯が実行され、炊き上げられたご飯は、美味しいご飯となるのである。上記した白米炊飯のタイムチャートは図３に示す通りである。
（２）  雑穀米炊飯Ｉ（図４のフローチャート参照）
この場合、雑穀類は白米の上に乗せて炊くこととなっている。
【００３５】
ステップＳ１においてメニューキーにより雑穀米がセットされ、炊き分けキーによりご飯がセットされ、炊飯キーによりスタートされると、ステップＳ２において初期水温Ｔｗ0が図示しない水温センサーにより測定され、ステップＳ３，Ｓ４において初期水温Ｔｗ0と所定温度（即ち、１０℃および３０℃）との比較がなされる。即ち、ステップＳ３においてＴｗ0＜１０℃か否かの判定がなされ、ステップＳ４においては１０℃≦Ｔｗ0＜３０℃か否かの判定がなされる。ステップＳ３においてＴｗ0＜１０℃と判定された場合には、ステップＳ５において吸水タイマがスタートされ、ステップＳ６においてＩＨコイル（ワークコイルＣ1，Ｃ2）に６０％，３／１６で通電され、上部側面ヒータＨ1に１６／１６で通電され且つ下部側面ヒータＨ2はＯＦＦされ、蓋ヒータＨ3に８／１６で通電される。この通電状態は、ステップＳ７において吸水タイマがカウントアップしたと判定されるまで継続される。ステップＳ４において１０℃≦Ｔｗ0＜３０℃と判定された場合には、ステップＳ８において吸水タイマがスタートされ、ステップＳ９においてＩＨコイル（ワークコイルＣ1，Ｃ2）に６０％，３／１６で通電され、上部側面ヒータＨ1に１４／１６で通電され且つ下部側面ヒータＨ2はＯＦＦされ、蓋ヒータＨ3に８／１６で通電される。この通電状態は、ステップＳ１０において吸水タイマがカウントアップしたと判定されるまで継続される。ステップＳ４においてＴｗ0≧３０℃と判定された場合には、ステップＳ１１において吸水タイマがスタートされ、ステップＳ１２においてＩＨコイル（ワークコイルＣ1，Ｃ2）に６０％，３／１６で通電され、上部側面ヒータＨ1に１０／１６で通電され且つ下部側面ヒータＨ2はＯＦＦされ、蓋ヒータＨ3に８／１６で通電される。この通電状態は、ステップＳ１３において吸水タイマがカウントアップしたと判定されるまで継続される。この場合、吸水工程において上部側面ヒータＨ1への通電により、白米の上に置かれた雑穀類の吸水を促進するように、温度が高めとなるように加熱制御されるが、初期水温Ｔｗ0の程度により加熱制御を調整するようにしている。ここで、吸水タイマの時限は、雑穀類への吸水が十分に行われるように、白米炊飯時の吸水タイマの時限より約１０分長めに設定される。
【００３６】
そして、ステップＳ７，Ｓ１０およびＳ１３において吸水タイマがカウントアップしたと判定されると、ステップＳ１４において昇温１タイマがスタートされ、ステップＳ１５においてＩＨコイル（ワークコイルＣ1，Ｃ2）に７０％，１６／１６で通電され、側面ヒータＨ1，Ｈ2はＯＦＦされ、蓋ヒータＨ3に８／１６で通電される。この通電状態は、ステップＳ１６において昇温１タイマがカウントアップしたと判定されるまで継続され、ステップＳ１６において昇温１タイマがカウントアップしたと判定されると、ステップＳ１７において昇温２タイマがスタートされ、ステップＳ１８においてＩＨコイル（ワークコイルＣ1，Ｃ2）に７０％，１６／１６で通電され、側面ヒータＨ1，Ｈ2は１０／１６で通電され、蓋ヒータＨ3はＯＦＦされる。この通電状態は、ステップＳ１９において蒸気センサー２２による検知温度Ｔｇが所定温度ｂ℃（例えば、１００℃）以上となるまで継続される（換言すれば、蒸気センサー２２により沸騰検知されるまで継続される）。ステップＳ１９においてＴｇ≧ｂ℃と判定されると、ステップＳ２０において炊き上げタイマがスタートされ、ステップＳ２１においてＩＨコイル（ワークコイルＣ1，Ｃ2）に１００〜５０％で通電され、側面ヒータＨ1，Ｈ2に６／１６で通電され、蓋ヒータＨ3に８／１６で通電される。この通電状態は、ステップＳ２２において炊き上げタイマがカウントアップしたと判定されるまで継続され、ステップＳ２２において炊き上げタイマがカウントアップしたと判定されると、ステップＳ２３において追い炊きが実行され、ステップＳ２４においてむらしが実行され、その後保温工程に移行される。
【００３７】
上記したように雑穀米炊飯が実行され、炊き上げられた雑穀米は、美味しいご飯となるのである。つまり、吸水工程において、内鍋３上部の温度が内鍋３下部の温度より高く保持されるように加熱手段が制御されることとなっているので、吸水工程において米の上に置かれた雑穀類の温度が高くなる。従って、雑穀類の吸水がよくなるところから、雑穀類を混ぜたご飯が柔らかく炊き上げられることとなる。また、吸水工程に要する時間を白米炊飯時より長く設定することにより、雑穀類の吸水がより一層よくなるところから、雑穀類を混ぜたご飯がより一層柔らかく炊き上げられることとなる。上記した雑穀米炊飯のタイムチャートは図５に示す通りである。
（３）  雑穀米炊飯II（図６のフローチャート参照）
この場合も、雑穀類は白米の上に乗せて炊くこととなっている。
【００３８】
ステップＳ１においてメニューキーにより雑穀米がセットされ、炊き分けキーによりご飯がセットされ、炊飯キーによりスタートされると、ステップＳ２において初期水温Ｔｗ0が図示しない水温センサーにより測定され、ステップＳ３，Ｓ４において初期水温Ｔｗ0と所定温度（即ち、１０℃および３０℃）との比較がなされる。即ち、ステップＳ３においてＴｗ0＜１０℃か否かの判定がなされ、ステップＳ４においては１０℃≦Ｔｗ0＜３０℃か否かの判定がなされる。ステップＳ３においてＴｗ0＜１０℃と判定された場合には、ステップＳ５において吸水タイマがスタートされ、ステップＳ６においてＩＨコイル（ワークコイルＣ1，Ｃ2）に６０％，３／１６で通電され、上部側面ヒータＨ1に１６／１６で通電され且つ下部側面ヒータＨ2はＯＦＦされ、蓋ヒータＨ3に８／１６で通電される。この通電状態は、ステップＳ７において吸水タイマがカウントアップしたと判定されるまで継続される。ステップＳ４において１０℃≦Ｔｗ0＜３０℃と判定された場合には、ステップＳ８において吸水タイマがスタートされ、ステップＳ９においてＩＨコイル（ワークコイルＣ1，Ｃ2）に６０％，３／１６で通電され、上部側面ヒータＨ1に１４／１６で通電され且つ下部側面ヒータＨ2はＯＦＦされ、蓋ヒータＨ3に８／１６で通電される。この通電状態は、ステップＳ１０において吸水タイマがカウントアップしたと判定されるまで継続される。ステップＳ４においてＴｗ0≧３０℃と判定された場合には、ステップＳ１１において吸水タイマがスタートされ、ステップＳ１２においてＩＨコイル（ワークコイルＣ1，Ｃ2）に６０％，３／１６で通電され、上部側面ヒータＨ1に１０／１６で通電され且つ下部側面ヒータＨ2はＯＦＦされ、蓋ヒータＨ3に８／１６で通電される。この通電状態は、ステップＳ１３において吸水タイマがカウントアップしたと判定されるまで継続される。この場合、吸水工程において上部側面ヒータＨ1への通電により、白米の上に置かれた雑穀類の吸水を促進するように、温度が高めとなるように加熱制御されるが、初期水温Ｔｗ0の程度により加熱制御を調整するようにしている。ここで、吸水タイマの時限は、雑穀類への吸水が十分に行われるように、白米炊飯時の吸水タイマの時限より約１０分長めに設定される。
【００３９】
そして、ステップＳ７，Ｓ１０およびＳ１３において吸水タイマがカウントアップしたと判定されると、ステップＳ１４において昇温１タイマがスタートされ、ステップＳ１５においてＩＨコイル（ワークコイルＣ1，Ｃ2）に７０％，１６／１６で通電され、側面ヒータＨ1，Ｈ2はＯＦＦされ、蓋ヒータＨ3に８／１６で通電される。この通電状態は、ステップＳ１６において昇温１タイマがカウントアップしたと判定されるまで継続され、ステップＳ１６において昇温１タイマがカウントアップしたと判定されると、ステップＳ１７において昇温２タイマがスタートされ、ステップＳ１８においてＩＨコイル（ワークコイルＣ1，Ｃ2）に７０％，１６／１６で通電され、側面ヒータＨ1，Ｈ2は１０／１６で通電され、蓋ヒータＨ3はＯＦＦされる。この通電状態は、ステップＳ１９において蒸気センサー２２による検知温度Ｔｇが所定温度ｂ℃（例えば、９５℃）以上となるまで継続される（換言すれば、蒸気センサー２２により沸騰直前の温度が検知されるまで継続される）。ステップＳ１９においてＴｇ≧ｂ℃と判定されると、ステップＳ２０において休止タイマがスタートされ、ステップＳ２１においてＩＨコイル（ワークコイルＣ1，Ｃ2）はＯＦＦあるいは５０％，２／１６で通電され、側面ヒータＨ1，Ｈ2は１４／１６で通電され、蓋ヒータＨ3は１４／１６で通電される。この通電状態は、ステップＳ２２において休止タイマがカウントアップされるまで継続される。つまり、加熱が休止状態となるのである。
【００４０】
その後、ステップＳ２２において休止タイマがカウントアップしたと判定されると、ステップＳ２３において炊き上げタイマがスタートされ、ステップＳ２４においてＩＨコイル（ワークコイルＣ1，Ｃ2）に１００〜５０％で通電され、側面ヒータＨ1，Ｈ2に６／１６で通電され、蓋ヒータＨ3に８／１６で通電される。この通電状態は、ステップＳ２５において炊き上げタイマがカウントアップしたと判定されるまで継続され、ステップＳ２５において炊き上げタイマがカウントアップしたと判定されると、ステップＳ２６において追い炊きが実行され、ステップＳ２７においてむらしが実行され、その後保温工程に移行される。
【００４１】
上記したように雑穀米炊飯が実行され、炊き上げられた雑穀米は、美味しいご飯となるのである。つまり、吸水工程において、内鍋３上部の温度が内鍋３下部の温度より高く保持されるように加熱手段が制御されることとなっているので、吸水工程において米の上に置かれた雑穀類の温度が高くなる。従って、雑穀類の吸水がよくなるところから、雑穀類を混ぜたご飯が柔らかく炊き上げられることとなる。また、吸水工程に要する時間を白米炊飯時より長く設定することにより、雑穀類の吸水がより一層よくなるところから、雑穀類を混ぜたご飯がより一層柔らかく炊き上げられることとなる。しかも、昇温工程および炊き上げ工程において沸騰直前の温度を検知すると、主加熱手段であるＩＨコイル（ワークコイルＣ1，Ｃ2）をパワーダウンさせるとともに、上部および下部副加熱手段である側面ヒータＨ1，Ｈ2をパワーアップさせるように制御されることとなり、雑穀類（特に、粒の小さいアマランサス等）の吹き上がりが抑制されることとなる。上記した雑穀米炊飯のタイムチャートは図７に示す通りである。
【００４２】
ところで、吸水工程の初期において、上部副加熱手段（即ち、上部側面ヒータＨ1）を一定通電することで、初期水温を認識させ、温度に応じてその後の通電率を決定するようにしてもよい。また、一定通電にて合数判定も行い、合数に応じてその後の通電率を決定するようにしてもよい。
【００４３】
また、側面ヒータの通電率は、吸水工程時の方が昇温工程時より高く、ＩＨコイルの出力は、吸水工程時の方が昇温工程より低く設定する場合もある。
【００４４】
また、上部側面ヒータＨ1の位置は、満量時の水位より上に設置されるのが望ましい。
【００４５】
また、側面センサーを設ける場合、側面センサーの位置は、最小炊飯時の水位より下であって、側面ヒータＨ1，Ｈ2の間とするのが望ましい。
【００４６】
本願発明では、沸騰時にパワーを抑えることで、加熱不足になることが考えられるが、内鍋を非金属材料からなる鍋（例えば、セラミック製の土鍋）の蓄熱性によって補うことができる。
【００４７】
また、昇温工程２および合数判定後の休止工程で、下部加熱源（ＩＨコイル）はパワーダウンさせるが、内部温度がさがらないよう、上部加熱源（側面ヒータ）は通電率を上げ、鍋全体は高温を維持するようにしている。
【００４８】
また、白米炊飯時においては、昇温工程の途中で沸騰し蒸気が出るが、雑穀米炊飯時においては、昇温工程が終わる頃に蒸気が上がるように設定するのが望ましい。
【００４９】
本願発明は、上記実施の形態に限定されるものではなく、発明の要旨を逸脱しない範囲において適宜設計変更可能なことは勿論である。
【図面の簡単な説明】
【００５０】
【図１】本願発明の実施の形態にかかる電気炊飯器の縦断面図である。
【図２】本願発明の実施の形態にかかる電気炊飯器における白米炊飯時の内容を示すフローチャートである。
【図３】本願発明の実施の形態にかかる電気炊飯器における白米炊飯時の内容を示すタイムチャートである。
【図４】本願発明の実施の形態にかかる電気炊飯器における雑穀米炊飯Ｉの内容を示すフローチャートである。
【図５】本願発明の実施の形態にかかる電気炊飯器における雑穀米炊飯Ｉの内容を示すタイムチャートである。
【図６】本願発明の実施の形態にかかる電気炊飯器における雑穀米炊飯IIの内容を示すフローチャートである。
【図７】本願発明の実施の形態にかかる電気炊飯器における雑穀米炊飯IIの内容を示すタイムチャートである。
【符号の説明】
【００５１】
１は炊飯器本体
３は内鍋
ＣＳは温度センサー（センタセンサー）
Ｃ1，Ｃ2は主加熱手段（ワークコイル）
Ｈ1は上部副加熱手段（上部側面ヒータ）
Ｈ2は下部副加熱手段（下部側面ヒータ）
Ｈ3は副加熱手段（蓋ヒータ）
【図１】
2010012138.tif 000003
【図２】
2010012138.tif 000004
【図３】
2010012138.tif 000005
【図４】
2010012138.tif 000006
【図５】
2010012138.tif 000007
【図６】
2010012138.tif 000008
【図７】
2010012138.tif 000009